(57)【特許請求の範囲】
【請求項１】
植生領域上に配置され、植生植物を保護するための植生保護装置であって、
前記植生領域上に敷設される長手状の敷設シートと、
所定の可撓性、弾性及び通光性を有する網状体からなり、且つ、前記敷設シートに一端側の固定端で取り付けらているとともに、他端側に自由端を有する複数の植生保護シートと、を備え、
前記固定端を支点として前記植生保護シートを屈曲変形させ、前記植生保護シートの他端側の自由端を固定具で前記植生領域に固定することにより、前記植生保護シートがアーチ状に屈曲した状態で前記植生領域に固定されて、前記植生保護シートと前記植生領域との間に前記植生植物を保護するための植生保護空間が形成されることを特徴とする植生保護装置。
【請求項２】
前記敷設シートは、ネットシートであることを特徴とする請求項１に記載の植生保護装置。
【請求項３】
前記複数の植生保護シートの固定端が長手方向に沿って所定間隔で前記敷設シートに取り付けられており、前記所定間隔が前記植生保護空間の幅に対応していることを特徴とする請求項１又は２に記載の植生保護装置。
【請求項４】
当該植生保護装置は、前記敷設シート及び複数の植生保護シートが長手方向に巻き取られることによってロール体に変形可能であり、前記各植生保護シートに巻き方向の癖が付けられることにより、前記敷設シートが前記植生領域上に敷設された状態で前記各植生保護シートが前記敷設シート上で凸曲面を形成して屈曲することを特徴とする請求項１から３のいずれか一項に記載の植生保護装置。
【請求項５】
前記植生保護シートは、合成樹脂で一体的に成形されてなり、且つ、前記植生保護空間の最大高さｈが３００ｍｍ〜４００ｍｍであることを特徴とする請求項１から４のいずれか一項に記載の植生保護装置。
【請求項６】
法面上の植生領域の植生植物を保護する植生保護構造であって、請求項１から５のいずれか一項に記載の１以上の植生保護装置が前記法面の前記植生領域上に設置されていることを特徴とする植生保護構造。
【発明の詳細な説明】
【技術分野】
【０００１】
本発明は、法面や平地などの植生領域を保護するための植生保護装置及び植生保護構造に関する。
【背景技術】
【０００２】
自然破壊防止や景観保持のため、法面や平地などの領域に植物を植生するには、植物を植生するための植生領域を設置するのが一般的である。しかし、植生領域の設置場所が山奥深く入った道路の法面等であって、鹿などの野生植物が出没する地帯では、植生領域に植生された植物が野生動物に食い荒らされるといった食害被害が頻繁に起こっている。つまり、野生動物が植生領域に侵入して、生え揃ってきた植生植物の芽を食い荒らしたり、踏みつけることによって、植生植物が枯れたり、成長不良を起こしたりして、植生領域に十分な植生を行えなくなってしまうという問題があった。
【０００３】
従来、このような野生動物による食害を防止するために、野生動物に対して忌避材を使用する方法が提案されていた。例えば、特許文献１では、植生基材又は植生基材を収容した植生袋に忌避機能を有するように構成している。しかし、忌避材が風雨により流亡してしまったり、植生植物自体によって無力化されてしまったりする可能性が非常に高いので、この忌避機能を長期に亘って維持することは困難であると思われる。
【０００４】
これに対して、特許文献２には、草食動物による食害防止装置（Ａ）が開示されている。食害防止装置（Ａ）は、食害防止植生材保護エリア（１）を網状体（２）によって覆い、この網状体（２）は、スペーサ（３）を介して保護エリア（１）から浮かせた状態で配置されている。即ち、網状体（２）で植生植物を覆うことによって、鹿などの野生動物が植物を網状体（２）の上から食べることを防止している。
【０００５】
また、特許文献３には、植生植物（Ｐ）を保護するための植生保護空間（Ｒ）を形成する保護部材（２０）が開示されている。保護部材（２０）は、植生帯（１０）上に杭等の固定具で固定される少なくとも２枚の剛性の柵状又は格子状の保護パネル（２１、２１）からなり、植生帯（１０）と保護パネル（２１）との間に植生保護空間（Ｒ）を区画形成することにより、植生保護空間（Ｒ）内の植生植物を獣害から保護している。
【先行技術文献】
【特許文献】
【０００６】
【特許文献１】特開２００７−２０４５９号公報
【特許文献２】特開２００４−７３１９２号公報
【特許文献３】特開２０１２−９５５４３号公報
【発明の概要】
【発明が解決しようとする課題】
【０００７】
本植生保護に係る技術分野では、より確実に鹿、猿、鳥などの野生動物（代表的には鹿）による獣害から植物を保護可能であると共に、より簡易な構造で安価に植生保護装置を提供することが求められている。
【０００８】
しかしながら、特許文献２の食害防止装置では、網材に加えて、網材の面積に応じた大きさ又は数量のスペーサを配置して、これらを杭で地面に固定しなければならない。そのため、広域の植生領域を保護する場合、食害防止装置を構築するのに大規模な又は多数のスペーサを必要とし、そのコストが嵩むことが問題あった。さらに、施工時において、植生領域に亘ってスペーサを配置し、且つ、植生領域全体を覆うように１枚の網状体を緩みの少ない状態でスペーサ上に設置しなければならないため、例えば、実質的に網状体を弛まないように網状態の両端を押さえている作業員が別途必要となり、少人数では設置が困難である。特に、法面などの急傾斜面に植生材保護エリアを形成する場合、植生領域が広ければ広いほど、網状体を張設する作業がより困難となることが問題であった。
【０００９】
また、特許文献３の保護部材では、特許文献２の食害防止装置と比べて、構造簡易性、施工容易性及び植生保護効果の点で大幅に改善されているが、保護パネル同士を連結部で連結させる形態をとっているため、保護部材自体の構造が十分に簡易であるとは言い難く、その構造をさらに簡易化することが課題であった。
【００１０】
本発明は、上記課題を解決するためになされたものであり、その目的は、野生動物（代表的には鹿）による食害から植生領域上の植物をより確実に保護すると共に、より簡易な構成からなる植生保護装置及び植生保護構造を提供することにある。なお、本発明の「植生領域」とは、植物が植生される地面（表面）であり、野生動物や鳥類などによる被害から植生植物を保護すべき領域である。すなわち、「植生領域」は、地山、法面、畑、田園、植生マットなどを含む広い概念である。同様に、「植生植物」とは、法面緑化のための草花、野菜や穀物などの食用植物などを含む広い概念である。
【課題を解決するための手段】
【００１１】
請求項１に記載の植生保護装置は、植生領域上に配置され、植生植物を保護するための植生保護装置であって、
植生領域上に敷設される長手状の敷設シートと、
所定の可撓性、弾性及び通光性を有する網状体からなり、且つ、敷設シートに一端側の固定端で取り付けられているとともに、他端側に自由端を有する複数の植生保護シートと、を備え、
固定端を支点として植生保護シートを屈曲変形させ、植生保護シートの他端側の自由端を固定具で植生領域に固定することにより、植生保護シートがアーチ状に屈曲した状態で植生領域に固定されて、植生保護シートと植生領域との間に植生植物を保護するための植生保護空間が形成されることを特徴とする。
【００１２】
請求項２に記載の植生保護装置は、請求項１に記載の植生保護装置であって、敷設シートは、ネットシートであることを特徴とする。
【００１３】
請求項３に記載の植生保護装置は、請求項１又は２に記載の植生保護装置であって、該敷設シートには複数の植生保護シートの固定端が長手方向に沿って所定間隔で取り付けられており、所定間隔が植生保護空間の幅に対応していることを特徴とする。
【００１４】
請求項４に記載の植生保護装置は、請求項１から３のいずれかに記載の植生保護装置であって、当該植生保護装置は、前記敷設シート及び複数の植生保護シートが長手方向に巻き取られることによってロール体に変形可能であり、前記各植生保護シートに巻き方向の癖が付けられることにより、前記敷設シートが前記植生領域上に敷設された状態で前記各植生保護シートが前記敷設シート上で凸曲面を形成して屈曲することを特徴とする。
【００１５】
請求項５に記載の植生保護構造は、請求項１から４いずれかに記載の植生保護装置であって、植生保護シートは、合成樹脂で一体的に成形されてなり、且つ、植生保護空間の最大高さｈが３００ｍｍ〜４００ｍｍであることを特徴とする。
【００１６】
請求項６に記載の植生保護構造は、法面上の植生領域の植生植物を保護する植生保護構造であって、請求項１から５のいずれか一項に記載の１以上の植生保護装置が法面の植生領域上に設置されていることを特徴とする。
【発明の効果】
【００１７】
請求項１に記載の発明によれば、所定の可撓性、弾性及び通光性を有する植生保護シートがアーチ状に屈曲した状態で敷設シートを介して植生領域上に固定されることにより、植生保護シートと植生領域との間に植生植物を保護するための植生保護空間を形成することが可能である。このアーチ状に屈曲した植生保護シートは、その湾曲して上方に張り出した姿勢を維持すべく所定の弾性（復元性）を有している。この弾性によって、植生保護シートがぴんと張った状態で湾曲姿勢をとり、植生保護シートと植生領域表面（地面）とが離隔して植生保護空間を維持する。その結果、野生動物が植生植物の根元や若芽の状態の植生植物を食べたり、踏みつけたりすることを安定的に抑制することができる。そして、本発明の植生保護装置は、植生保護シートを敷設シートに取り付けたものである。また、敷設シート上の１枚の植生保護シートを屈曲させることにより１つの植生保護空間を形成するため、従来と比べて、非常に簡易であり、且つ、安価に製造可能である構造を有している。さらに、本発明の植生保護装置では、長手状の敷設シートに複数の植生保護シートが一端で固定されている。これにより、敷設シートを植生領域に敷設するだけで、複数の植生保護シートを植生領域上に並べて簡単に配置することができる。したがって、本発明は、野生動物からの食害から植生領域上の植生植物をより確実に保護すると共に、より簡易な構造で簡単且つ迅速に配置可能な植生保護装置を提供するものである。
【００１８】
請求項２に記載の発明によれば、請求項１の植生保護装置の効果に加えて、敷設シートがネットシートであることにより、通光性及び通風性を犠牲にすることなく、植生領域上に植生保護空間を形成可能である。
【００１９】
請求項３に記載の発明によれば、請求項１又は２の植生保護装置の効果に加えて、植生保護空間の幅に対応した所定間隔で複数の植生保護シートの固定端が長手方向に沿って敷設シートに取り付けられている。すなわち、屈曲させた植生保護シートの自由端を固定する位置が、隣接する植生保護シートの固定端の位置とほぼ一致するため、自由端の固定位置の位置決めを容易且つ正確に実施することができる。また、植生保護空間の幅に応じてその高さが決定されるので、各植生保護シートの自由端の固定位置を正確に定めて、複数の植生保護シートの植生保護空間の形状（高さ）をほぼ一定に維持することができる。その結果、植生保護シートの固定位置を定めるための位置出しの手間を省けるとともに、本発明の植生保護装置で構築した植生保護構造の全体的な美観の向上に貢献する。
【００２０】
請求項４に記載の発明によれば、請求項１から３のいずれかの植生保護装置の効果に加えて、敷設シートを長手方向に巻き取って１本のロール体を形成することにより、該植生保護装置の保管又は輸送において有利となる。さらに、ロール体を展開すると、植生保護シートが敷設シート上で凸曲面を形成して屈曲する。すなわち、植生保護シートの自由端を隣接する植生保護シートの固定端側にスライドさせて、アーチ状の植生保護空間を簡単に形作ることができる。
【００２１】
請求項５に記載の発明によれば、請求項１から４のいずれかの植生保護装置の効果に加えて、植生保護シートが複数の網目を有する網状体であることにより、高い通光性及び通風性を兼ね備えており、保護された状態で植生植物の成長を促進する。また、網状体が合成樹脂で一体成形可能であることにより、容易且つ安価に植生保護シートを製造することができる。さらに、合成樹脂は、一般的に金属材料と比べて軽量であるため、該植生保護装置の携帯性及び該植生保護装置の設置作業性を改善する。そして、植生保護空間の最大高さｈが３００ｍｍ〜４００ｍｍとなるように、植生保護シートのアーチ形状に配置することにより、植生保護シートの姿勢をより安定的に維持すると共に植生領域の面積を効率的に増加させて、植生植物をより効果的に野生動物から保護することができる。
【００２２】
請求項６に記載の発明によれば、請求項１から５のいずれかの植生保護装置の効果を法面上の植生保護構造として発揮することができる。したがって、本発明は、野生動物からの食害から植生領域上の植生植物をより確実に保護すると共に、より簡易な構造で構築可能な植生保護構造を提供するものである。
【図面の簡単な説明】
【００２３】
【図１】本発明の基本形態の植生保護装置の斜視図。
【図２】図１の植生保護装置であって、植生領域に設置された状態の側面図。
【図３】図１の植生保護装置の各部材であり、（ａ）植生保護シート、（ｂ）その部分拡大図、及び（ｃ）固定具を示す。
【図４】図１の植生保護装置を法面に設置する工程を示す模式図。
【図５】本発明の基本形態の植生保護構造の斜視図。
【図６】図５の植生保護構造の側面図。
【図７】本発明の基本形態の植生保護装置の試験結果（写真）を示す図。
【図８】（ａ）図７の領域Ａ、（ｂ）領域Ｂ、及び（ｃ）領域Ｃの部分拡大図を示す。
【図９】本発明の一実施形態の植生保護装置の斜視図。
【図１０】図９の植生保護装置の側面図。
【図１１】本発明の一実施形態の植生保護構造の側面図。
【図１２】図９の植生保護装置を製造する工程を示す模式図。
【図１３】図９の植生保護装置を法面に設置する工程を示す模式図。
【図１４】図１３の設置工程の詳細図。
【図１５】本発明の別実施形態の植生保護装置の側面図。
【発明を実施するための形態】
【００２４】
以下、本発明の基本形態及び一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２５】
まず、図１から図８を参照して、本発明の植生保護シートで植生保護空間を形成することの従来技術への優位性を説明するために、本発明の基本形態である植生保護装置１００及び植生保護構造１０を先に説明する。なお、基本形態は、実施形態と同様に、本願出願時において新規な概念である。次いで、図９から図１５を参照して、本発明の実施形態の植生保護装置２００、２００Ａを説明する。そして、一実施形態の植生保護装置２００、２００Ａは、該植生保護装置１００と共通する基本形態を有し、植生保護装置１００と同様の作用効果を奏しつつ、その製品性（例えば、保管性や輸送性）及び施工容易性等をさらに改善したものである。
【００２６】
（植生保護装置の基本形態）
図１は、本発明の基本形態の植生保護装置１００の斜視図である。図１に示すとおり、植生保護装置１００は、所定の可撓性、弾性及び通光性を有する植生保護シート１０１と、該植生保護シート１０１を植生領域Ｇ上に固定するための複数（本基本形態では４つ）の固定具１０２と、を備える。植生保護装置１００の設置状態において、植生保護シート１０１がアーチ状に屈曲した状態で、その４隅近傍が固定具１０２で植生領域Ｇ上に固定される。すなわち、本植生保護装置１００は、植生保護シート１０１の横幅の縁辺が植生領域Ｇに接地し、その縦幅方向が湾曲するように植生領域Ｇ上に配置される。なお、ここで云う「可撓性」は、力を加えても折れないでしなるように屈曲する性質である。他方、ここで云う「弾性」は、屈曲変形させたものが元の形状に復元しようとする性質である。
【００２７】
図２は、１つの植生保護装置１００が、植生領域Ｇ上に固定された状態を示す側面図である。図２に示すとおり、固定金具１０２が地面に埋め込まれて、植生保護シート１０１が植生領域Ｇの地表面に対して凸状に湾曲した状態で植生領域Ｇに固定されている。そして、植生保護シート１０１と植生領域Ｇとの間に植生植物Ｐを保護するための略半円筒形状の植生保護空間Ｒが形成されている。当該植生保護シート１０１の弾性により、植生保護シート１０１がピンと張った状態で湾曲しており、その姿勢を維持している。この植生保護シート１０１の上に鹿等の野生動物が乗った場合、植生保護シート１０１が一時的に下方に撓むが、その弾性により、野生動物が離れたら元のアーチ状に復元する。また、この植生保護装置１００は、鹿（特には、ニホンジカ）が植生保護シート１０１の上に乗っても、植生保護シート１０１の下面が地面に接触しない程度の反発力（弾性）を有していることが好ましい。この場合、鹿が乗ったとしても、植生保護シート１０１が破断せずに撓み、且つ、植生保護シート１０１が完全に潰れることなく、少なくとも地面近傍で植生保護空間Ｒを確保し、植生植物Ｐの根元を保護することができる。この植生保護空間Ｒでは、植生植物Ｐが野生動物（代表的には鹿）による食害から保護されるため、図示のように植生植物Ｐが繁茂している。
【００２８】
当該植生保護装置１００は、例えば、設置状態において、横幅約１０００ｍｍ、縦幅約５００ｍｍ及び最大高さ約３５０ｍｍで構成される。この場合、植生保護空間Ｒは、約０．５ｍ２の被覆面積、及び、最大高さｈ＝約３５０ｍｍ（ここでは植生保護シート１０１の厚みを無視する）を有する。
【００２９】
この植生保護空間Ｒの最大高さｈは、植生領域Ｇと植生保護シート１０１の下面との間の最大距離を示しており、植生保護シート１０１の屈曲の度合いを変更することで調整可能である。すなわち、植生保護シート１０１の屈曲の度合いが大きい程、最大高さｈが高くなるが、これに反比例して、植生保護装置１００の縦幅が減少して植生保護シート１０１による被覆範囲が狭まる。そして、植生保護空間Ｒの最大高さｈは、１００ｍｍから１０００ｍｍであることが好ましい。高さｈが１００ｍｍ以下であると、野生動物が植生植物Ｐの根元や若芽の植生植物Ｐを傷付ける虞があり、植生植物Ｐの保護効果が半減する。他方、高さｈが１０００ｍｍ以上であると、屋外における強風の影響を受けやすくなり、その設置が不安定となる傾向がある。つまり、この範囲の高さｈでは、屋外において安定的に植生保護シート１０１の設置姿勢を維持可能であると共に、植生植物Ｐを野生動物の食害及び踏み付けから効果的に保護可能である。そして、植生保護空間Ｒの最大高さｈは、より好ましくは、２００ｍｍから５００ｍｍの範囲内である。この範囲の高さｈでは、植生植物Ｐの安定的な保護を達成しつつ、植生保護シート１０１の被覆面積を広く確保して、植生保護装置１００の材料費を効果的に節約することができる。さらに、植生保護空間Ｒの最大高さｈの最適な範囲は、３００ｍｍから４００ｍｍである。この範囲では、保護効果及び設置コストの関係が最適化されており、植生保護、設置安定性及びコスト削減を高いレベルで実現することができる。
【００３０】
次に、図３を参照して、植生保護装置１００を構成する植生保護シート１０１及び固定具１０２をより詳細に説明する。
【００３１】
図３（ａ）及び（ｂ）は、植生保護シート１０１の平面図及び部分拡大図である。当該植生保護シート１０１は、複数の網目１０１ａを有する網状体からなる合成樹脂製の薄板状シートであり、横幅に長辺及び縦幅に短辺を有する。そして、当該植生保護シート１０１は、所定の可撓性、弾性及び通光性を有する。この植生保護シート１０１は、可撓性に加えて適度な弾性を有しているため、図３（ａ）の平坦形状から図１及び２のアーチ状に破断させずに屈曲させて植生領域Ｇ上に張設可能である。また、植生保護シート１０１は、その網目構造により、保護する植生植物Ｐに対して、その生育に十分な通光性及び通風性を提供する。
【００３２】
図３（ｂ）に示すように、当該植生保護シート１０１のの網目１０１ａは、３組の対向する辺が略平行になるように構成された所謂、亀甲形状で形成されている。対向する辺間の距離をここで、ｗ１、ｗ２（＜ｗ１）と定義する。本基本形態では、ｗ１＝約８０ｍｍであり、ｗ２＝約５０ｍｍである。この網目１０１ａの寸法は、当業者であれば任意に設定可能であるが、鹿の口先が通らない程度の大きさであることが好ましい。また、この網目１０１ａを構成する線材の径は、約４ｍｍ〜５ｍｍである。すなわち、植生保護シート１０１は、約４ｍｍ〜５ｍｍの厚みで形成されている。なお、網目１０１ａの線材の径を増減することにより、植生保護シート１０１の曲げ易さ及び反発力を調整することができる。
【００３３】
そして、植生保護シート１０１は、硬質の合成樹脂で一体的に成形されてなる。すなわち、この植生保護シート１０１は、合成樹脂で一体成形された所謂「編まないネット」として形成されているため、線材を編んで形成したネットよりも強度及び耐久性が高い。このようなネットは、ネトロン（登録商標）シートとして呼称されている。本基本形態では、合成樹脂として、剛性及び加工性に優れた高密度ポリエチレン（ＨＤＰＥ）を用いた。しかしながら、本発明はこれに限定されず、当業者であれば、ポリプロピレン、ポリカーボネート、ＡＢＳ樹脂等の可撓性及び弾性を有する他の合成樹脂を任意に選択可能である。あるいは、植生保護シートが可撓性及び弾性を有していれば、硬質ゴムや金属（金網）等を使用することも可能である。
【００３４】
なお、本基本形態では、植生保護シート１０１は、平坦状態の寸法として、横幅約１０００ｍｍ、縦幅約７００ｍｍ、厚み約４〜５ｍｍの高密度ポリエチレン製のネトロン（登録商標）シートを採用した。そして、本基本形態では、植生保護装置１００の設置時において、植生保護シート１０１の横幅の縁辺（長辺）が接地し、且つ、植生保護シート１０１の縦幅（短辺）が屈曲後に約７００ｍｍから約５００ｍｍになるように湾曲変形される。しかしながら、本発明の植生保護装置及び植生保護シートは、上記寸法に限定されず、当業者であれば、植生領域Ｇの面積等の状況に応じて任意にその寸法形状を選択可能であることは云うまでもない。
【００３５】
図３（ｃ）は、固定具１０２の概略図である。固定手段１０２は、Ｊ字形状の鋼杭であり、鋭利な先端を有する長軸部１０２ａ及び短軸部１０２ｂを備え、連結部１０２ｃにてこれら長軸部１０２ａ及び短軸部１０２ｂが連結されている。この長軸部１０２ａと短軸部１０２ｂとは、その間に植生保護シート１０１の網目１０１ａを構成する線材を挟み込むことができるように、互いに離隔している。図１及び図２で示したとおり、長軸部１０２ａと短軸部１０２ｂとの間に網目１０１ａの線材を配置した上で、植生領域Ｇに長軸部１０２ａと短軸部１０２ｂの先端を打ち込むことにより、植生保護シート１０１の縁部を植生領域Ｇに確実に固定することができる。しかしながら、固定具は、上記Ｊ字形状の鋼杭に限定されることなく、植生保護シートを植生領域Ｇに固定可能であれば、当業者が考え得る限り、種々の固定手段を用いることができる。
【００３６】
次に、図４を参照して、基本形態の植生保護装置１００を法面上の植生領域Ｇに設置する工程について説明する。まず、法面上で、植生植物Ｐの種子、苗又は張芝等が準備された所定の植生領域Ｇを選択して、植生保護シート１０１をその上に配置する。本基本形態では、植生保護装置１００が植生保護シート１０１及び固定具１０２の２つのみからなり、且つ、植生保護シート１０１が軽量である合成樹脂（高密度ポリエチレン）からなるため、作業者は法面上の所定位置まで容易に植生保護装置１００を運搬することができる。次に、図４（ａ）に示すとおり、植生保護シート１０１の横幅の縁辺を２つの固定具１０２で法面（植生領域Ｇ）に固定する。続いて、この植生保護シート１０１の縁辺を固定した状態で、固定した辺を支点として、植生保護シート１０１を地面に対して隆起させるようにその縦幅方向を屈曲（可撓変形）させる。上述したとおり、この屈曲の度合いを調整して、植生保護空間Ｒの最大高さｈ及び被覆面積を決定する。屈曲の度合いを定めた後、植生保護シート１０１の姿勢を保ちながら、固定した辺に対向する辺を２つの固定具１０２によって植生領域Ｇに固定する。この結果、植生保護装置１００を法面上の植生領域Ｇに設置することができる。すなわち、本基本形態の方法は、法面上における設置困難性を考慮したものであり、その設置方法は上述の簡易な工程からなる。なお、本基本形態では、予め種子等が準備された植生領域Ｇ上に植生保護装置１００を設置したが、１又は複数の植生保護装置１００を設置した後に種子を植生領域Ｇに吹き付けることにより、植生保護構造１０を構築してもよい。つまり、植生領域Ｇとは、植物が植生されるべき領域であり、種子等が予め播種されていない領域をも含む概念である。
【００３７】
図５及び図６は、複数の植生保護装置１００を法面上に設置して、広範囲の植生領域Ｇを保護する植生保護構造１０の斜視図及び側面図である。植生領域Ｇの面積、及び、植生保護装置１００が形成する植生保護空間Ｒの面積の関係に応じて、植生保護装置１００の数量が決定される。この植生保護構造１０では、各植生保護シート１０１の横幅が法面の等高線方向（傾斜方向と直交する方向）に沿って固定金具１０２で固定されていると共に、法面の傾斜方向に沿って、植生保護シート１０１の縦幅が配置されている。つまり、当該植生保護構造１０は、複数の植生保護装置１００によって形成された植生保護空間Ｒを法面の等高線に沿って連接して、法面上に複数列（本基本形態では４列）の植生保護空間を形成している。すなわち、法面上の保護すべき植生領域Ｇの面積に応じて、植生保護装置１００の列及び当該列を構成する植生保護装置１００の数を決定したことにより、所望の面積の植生領域Ｇを保護している。なお、図示しないが、必要に応じて、植生植物Ｐの生育を助けるべく、植生保護装置１００同士の間隙や植生保護装置１００の内方に筋状の肥料袋を配置してもよい。
【００３８】
（試験）
本基本形態の植生保護装置１００及び植生保護構造１０の植生植物Ｐに対する保護効果を実証すべく岐阜県上石津町の林道の法面で試験を行った。該試験を行った地域では、野生動物としてニホンジカ等が生息している。そして、試験方法として、林道の法面上に所定の試験領域を定め、植生植物Ｐの種子を含有する植生マットを法面の試験領域全体に敷設した。この植生マットは、ネットに帯状に複数設けられた植生袋を有し、該植生袋には、植生植物Ｐ（芝や山野草等）の種子、肥料及び植生土を混合した植生基材が挿入されている。そして、試験領域全体を法面領域Ａ、Ｂ、Ｃの３つの領域に区画し、これら法面領域Ａ、Ｂ、Ｃにおける１ヶ月経過後の植生植物Ｐの生育状態を観察した。本発明の基本形態の作用効果の実証として、法面領域Ａは、植生領域Ｇの上に複数の植生保護装置１００（植生保護構造１０）を形成したものである。また、これに対する比較対象として、法面領域Ｂは、法面上の植生マット上に特許文献３の剛性の格子状の保護パネルからなる保護部材（特開２０１２−９５５４３号公報の図７参照）を設置したものである。当該法面領域Ｂでは、保護パネル内の三角断面の植生保護空間が法面の傾斜方向に沿って延びるように形成されている。もう１つの比較対象として、法面領域Ｃは、植生保護装置等を何も植生領域上に設置せずに、植生マットをむき出しの状態にしたものである。
【００３９】
図７及び図８は、当該試験の結果であって、各領域Ａ、Ｂ及びＣで区画された法面の植生植物Ｐの生育状態を描写する写真である。上述したとおり、法面領域Ａが本基本形態の植生保護装置１００（植生保護構造１０）の試験結果を示し、法面領域Ｂ、Ｃが比較例としての保護部材を設置した状態及び無設置の状態の試験結果を示している。領域Ａでは、植生領域全体の濃色（植生植物Ｐ）の割合が薄色（法面上の植生マット表面）の割合よりも大幅に多く、植生植物Ｐが良好に繁茂していることが分かる。領域Ｂでは、全体の濃色と薄色の割合が同じであるか、あるいは、濃色が若干少ない。つまり、領域Ｂは、部分的に野生動物による被害を被っていることが分かる。そして、領域Ｃでは、ほとんどの植生植物Ｐが野生動物に食べられて、薄色が全体の大部分を占めている。図８（ａ）〜（ｃ）は、各法面領域Ａ〜Ｃの部分拡大図であり、この植生植物Ｐの繁茂状況をより詳細に示している。図８（ａ）を参照すると、法面領域Ａでは、植生保護装置１００の植生保護空間Ｒ内の植生植物Ｐは、殆ど野生動物の被害に遭っておらず、法面領域Ｂ（図８（ｂ））及びＣ（図８（ｃ））と比べて、植生植物Ｐが高密度で繁茂していることが分かる。すなわち、図７及び８から一目瞭然であるように、本基本形態の植生保護装置１００（植生保護構造１０）を設置した法面領域Ａの植生植物Ｐの繁茂量は、法面領域Ｂ及びＣのものよりも多く、従来と比べて、より一層顕著な植生保護効果を発揮していることが実証された。
【００４０】
この試験結果を考察する。この植生保護構造１０では、植生領域Ｇに接近した鹿Ｄが食べられるのは、植生保護空間Ｒ外（植生保護シート１０１上方）に伸びる植生植物Ｐのみである。これに加えて、植生保護空間Ｒを形成する植生保護シート１０１が幾分かの弾性を有していることにより、該植生保護シート１０１がその上に乗った鹿Ｄに対して該弾性が作用して、植生保護シート１０１が鹿Ｄに違和感を与える。その結果として、植生保護装置１００及び植生保護構造１０が鹿Ｄに対する何らかの忌避効果を発揮すると考えられる。したがって、植生保護装置１００は、野生動物（鹿Ｄ）が植生植物Ｐの根元や若芽の状態の植生植物Ｐを食べたり、踏みつけたりすることを安定的に抑制することができる。
【００４１】
（実施例１）
図９から図１４を参照して、本発明の一実施形態の植生保護装置２００を説明する。なお、該植生保護装置２００は、植生保護装置１００の原理及び基本形態を包含し、その製品性（保管性、輸送性）及び施工容易性に配慮して、植生保護装置１００をさらに改良したものである。上述した基本形態と共通の構成及び作用効果の説明を一部省略するが、本実施形態の植生保護シート２００が上述の作用効果を奏することは言うまでもない。
【００４２】
図９は、本発明の一実施形態の植生保護装置２００の斜視図である。また、図１０は、一実施形態の植生保護装置２００の側面図である。図１０では、該植生保護装置２００の当初形態が仮想線で示され、植生保護シート２０１の自由端２０１ｃが一端側に引き寄せられて弾性変形した形態が実線で示されている。
【００４３】
一実施形態の植生保護装置２００は、植生領域上に敷設される長手状の敷設シート２０３と、所定の可撓性、弾性及び通光性を有し、敷設シート２０３に一端側の固定端２０１ｂで取り付けられた複数の植生保護シート２０１と、を備える。図９及び１０に示すとおり、この植生保護装置２００では、固定端２０１ｂを支点として植生保護シート２０１を屈曲変形させ、植生保護シート２０１の他端側の自由端２０１ｃを固定具２０２で敷設シート２０３に連結することにより、植生保護シート２０１がアーチ状に屈曲した状態で敷設シート２０３に固定されて、植生保護シート２０１と植生領域Ｇとの間に植生植物Ｐを保護するための植生保護空間Ｒが形成される。
【００４４】
該植生保護シート２０１は、図３（ａ）及び（ｂ）で説明した基本形態の植生保護シート１０１と同様の形態及び形状寸法を有し得る。すなわち、当該植生保護シート２０１は、複数の網目２０１ａを有する網状体からなる合成樹脂製の薄板状シートである。そして、当該植生保護シート２０１は、所定の可撓性、弾性及び通光性を有する。同様に、固定具２０２は、図３（ｃ）で説明した基本形態の固定具１０２と同じ形態及び形状寸法を有する。
【００４５】
また、図９に示すとおり、敷設シート２０３は、合成繊維又は天然繊維をシート状に編んで形成されたネットシートであり、植生領域Ｇ又は該植生領域Ｇを覆う植生シート２１０上に敷設される。該敷設シート２０３は、植生保護シート２０１とほぼ同じ横幅約１０００ｍｍを有する。他方、敷設シート２０３の縦幅は、敷設される植生領域Ｇの長さによって任意に定められる。そして、植生保護シート２０１の一端側の固定端２０１ｂがＣリングからなる連結部２０４で敷設シート２０３の繊維部分に連結されている。なお、連結部２０４はＣリングに限定されず、例えば、植生保護シートと敷設シートとが一体成形されてもよい。
【００４６】
図９及び図１０のような植生領域Ｇに設置する前の形態では、植生保護シート２０１の他端側は、敷設シート２０３に固定されておらず、自由端２０１ｃを形成している。この植生保護シート２０１の自由端２０１ｃは、複数の固定具２０２によって、敷設シート２０３及び植生領域Ｇに固定される。より詳細には、図１０に示すとおり、複数の固定具２０２が、植生保護シート２０１の自由端２０１ｃと、隣接する植生保護シート２０１の固定端２０１ｂとを貫通し、互いを連結して地面に固定する。そして、一の植生保護シート２０１の固定端２０１ｂと、隣接する植生保護シート２０１の固定端２０１ｂとが長手方向に沿って所定の等間隔ｄで配置されている。
【００４７】
すなわち、本実施形態の植生保護装置２００は、基本形態の植生保護装置１００に加えて、植生領域Ｇに敷設される敷設シート２０３に植生保護シート２０１の固定端２０１ｂを連結した点で改良されている。したがって、上述した基本形態の作用効果及び試験結果を本実施形態に適用することが可能である。
【００４８】
図１１は、複数の植生保護シート２０１を備える植生保護装置２００を法面上に設置して、広範囲の植生領域Ｇを保護する植生保護構造２０の側面図である。図１１に示すとおり、植生領域Ｇには、植生シート２１０が敷設され、その上に敷設シート２１３が敷設されている。植生シート２１０は、肥料又は植生植物Ｐの種子を含有した複数の筋状の植生袋を備え、植生植物Ｐの植生を促進するように機能する。本実施形態の植生保護構造２０では、上述の植生保護構造１０と比べて、敷設シート２０３を介して植生保護シート２０１が植生シート２１０に固定されるので、固定の際に植生シート２１０が破れにくい。
【００４９】
また、本植生保護構造２０では、固定金具２０２が地面に埋め込まれて、植生保護シート２０１が植生領域Ｇの地表面に対して凸状に湾曲した状態で植生領域Ｇに固定されている。そして、植生保護シート２０１と植生領域Ｇとの間に植生植物Ｐを保護するための略半円筒形状の植生保護空間Ｒが傾斜方向に沿って複数形成されている。より詳細には、固定具２０２が植生保護シート２０１の自由端２０１ｃが隣接する植生保護シート２０１の固定端２０１ｂの両方を貫通し、これらを敷設シート２０３及び植生領域Ｇに一体的に固定している。そして、一の植生保護シート２０１の自由端２０１ｂの位置と、隣接植生保護シート２０１の固定端２０１ｂの位置とが合致し、これらの間に高さｈ及び幅Ｗを有する植生保護空間Ｒが形成されている。つまり、この植生保護空間Ｒの幅Ｗと、該植生保護シート２０１の所定間隔ｄとはほぼ等しい。
【００５０】
そして、植生領域Ｇの面積、及び、各植生保護空間Ｒの面積の関係に応じて、植生保護装置２００の長さ及び数量が決定される。この植生保護構造２０では、植生保護装置２００が、敷設シート２０３の長手方向が法面の傾斜方向に沿うように配置されている。すなわち、各植生保護シート２０１の横幅が法面の等高線方向（傾斜方向と直交する方向）に沿って固定金具２０２で固定されている。そして、図５で示したように、植生領域Ｇの等高線方向に沿って複数の植生保護装置２００を並列させることにより、所定面積の植生領域Ｇ全体を保護することができる。
【００５１】
次に、図１２を参照して、本発明の一実施形態の植生保護装置２００を製造する方法を説明する。
【００５２】
まず、図１２（ａ）に示すとおり、複数の植生保護シート２０１及び１枚の敷設シート２０３を上記寸法で形成する。そして、敷設シート２０３の長手方向に沿って所定間隔ｄで、複数の植生保護シート２０１の一端を複数の連結部２０４で敷設シート２０３上に連結する。より具体的には、Ｃリング状の連結部２０４で、敷設シート２０３の繊維と植生保護シート２０１の網目２０１ａの線材とを圧着する。このとき、植生保護シート２０１の自由端２０１ｃを他端側（図１２（ａ）の右側）に向けて傾斜させるように、固定端２０１ｂを敷設シート２０３に固定する。このようにして、本実施形態の植生保護装置２００を製造する。さらに、図１２（ｂ）〜（ｄ）に示す選択的な追加工程により、植生保護装置２００を変形させることで、保管、輸送、販売及び施工の点でより便利なロール体として形成可能である。
【００５３】
図１２（ｂ）に示すとおり、植生保護シート２０１の自由端２０１ｃを一端側（図１２（ｂ）の左側）に折り返す。続いて、図１２（ｃ）に示すとおり、この植生保護シート２０１を折り返した状態の敷設シート２０３を長手方向に沿ってロール状に巻き取る。これにより、植生保護装置２００を保管及び輸送に有利なロール体として変形させることができる。
【００５４】
さらに、図１２（ｄ）に示すとおり、植生保護装置２００を植生領域Ｇに設置する際、このロール体を展開することにより、植生保護装置２００は、植生領域Ｇに敷設されるシート部２００ａと、複数の植生保護シート２０１及び敷設シート２０３が巻かれたロール部２００ｂとを有する。このシート部２００ａでは、植生保護シート２０１が敷設シート２０３上で凸曲面を形成して屈曲している。そして、合成樹脂性の植生保護シート２０１がロール部２００ｂに巻き取られてロール状に変形されたことにより、植生保護シート２０１に巻き方向の癖が付けられている。つまり、図１２（ａ）に示すように、植生保護シート２０１の自由端２０１ｃを他端側に向けて傾斜させて固定すると共に、図１２（ｂ）に示すように、植生保護シート２０１を敢えて一端側に折り返して植生保護装置２００をロール状に巻き取ったことにより、図１２（ｄ）のような凸曲面の癖を付けることができる。なお、図１２（ｂ）の工程を省略した場合、植生保護シート２０１には凹曲面状の癖が付くため、その施工性が大幅に下がることが考えられる。しかしながら、図１２（ｂ）から（ｄ）は、任意の追加工程であり、これらを省略することも可能である。
【００５５】
続いて、図１３及び図１４を参照して、植生保護装置２００を法面上の植生領域Ｇに設置する工程について説明する。
【００５６】
まず、図１３（ａ）に示すとおり、植生領域Ｇ上に敷設された植生シート２１０上において、植生領域Ｇの頂部近傍で植生保護装置２００のロール体を載置する。そして、植生保護装置２００の一端を頂部近傍で固定した状態で、該植生保護装置２００を展開するようにロール部２００ｂを傾斜面の下方に転がす。その結果、敷設シート２０３の一部又は全部が法面上に敷設されて、植生領域Ｇ上に植生保護装置２００のシート部２００ａが現れる。そして、シート部２００ａで、敷設シート２０３の上方に弾性変形可能な複数の植生保護シート２０１を立設させる。
【００５７】
次いで、図１３（ｂ）に示すとおり、展開されたシート部２００ａにおいて、各植生保護シート２０１の自由端２０１ｃを隣接する植生保護シート２０１の固定端２０１ｂに対して固定具２０２で打ち付けて、植生領域Ｇ（及び植生シート２１０）に植生保護シート２０１及び敷設シート２０３の両方を固定する。こうして、植生保護装置２００を法面上の植生領域Ｇに設置する。なお、図１３（ｂ）では、法面上にロール体を部分的に展開しつつ、固定具２０２による固定作業を行ったが、ロール体を法面上に完全に展開した後に固定具２０２による固定作業を行ってもよい。
【００５８】
続いて、図１４を参照して、各植生保護シート２０１を敷設シート２０３に固定する工程をより詳細に説明する。図１４に示すとおり、植生保護シート２０１の固定端２０１ｂを支点として植生保護シート２０１をアーチ状に屈曲変形させ、該植生保護シート２０１の自由端２０１ｃを隣接する植生保護シート２０１の固定端２０１ｂに近づける。ここで、複数の植生保護シート２０１の固定端２０１ｂが所定間隔ｄで配置され、且つ、間隔ｄが植生保護空間Ｒの幅Ｗと等しいので、隣接する植生保護シート２０１の固定端２０１ｂの位置を目安として、植生保護シート２０１の自由端２０１ｃの固定位置を簡単に定めることができる。さらに、展開されたシート部２００ａにおいて、凸曲面状の癖（仮想線）が付いているので、植生保護シート２０１の自由端２０１ｃを隣接する植生保護シート２０１の固定端２０１ｂ側にスライドさせると、力を加えて植生保護シート２０１を屈曲させることなく、植生保護空間Ｒのためのアーチ形状を簡単に形作ることができる。
【００５９】
そして、植生保護シート２０１をアーチ状に屈曲させた状態で、固定具２０３を打ち込んで植生保護シート２０１の自由端２０１ｃを敷設シート２０３に連結する。より詳細には、一の植生保護シート２０１の網目２０１ａと隣接する植生保護シート２０１の網目２０１ａとを重ね合わせて、その両方の線材を連結するように固定具２０２を打ち込むんで、２枚の植生保護シート２０１を植生領域Ｇに安定的に固定する。こうして、連設された複数の植生保護シート２０１が１枚の敷設シート２０３に固定され、アーチ状に弾性変形した植生保護シート２０１と植生領域Ｇとの間に植生植物Ｐを保護するための植生保護空間Ｒが長手方向に沿って連設される。なお、ここで説明した方法は、一例にすぎず、当業者であれば、各工程の順序を入れ替え、又は、状況に応じて不要な工程を省略することも可能である。
【００６０】
以下、本発明の一実施形態の植生保護装置２００及び植生保護構造２０の作用効果について説明する。
【００６１】
本発明の一実施形態の植生保護装置２００及び植生保護構造２０によれば、所定の可撓性、弾性及び通光性を有する植生保護シート２０１がアーチ状に屈曲した状態で植生領域Ｇ上に固定されることにより、植生保護シート２０１と植生領域Ｇとの間に植生植物Ｐを保護するための植生保護空間Ｒを形成することが可能である。このアーチ状に屈曲した植生保護シート２０１は、その略半円状に湾曲して上方に張り出した姿勢を維持すべく所定の弾性（復元性）を有している。この弾性によって、植生保護シート２０１がぴんと張った状態で湾曲姿勢をとり、植生保護シート２０１と植生領域Ｇ表面（地面）とが離隔して植生保護空間Ｒを維持する。その結果、野生動物（鹿Ｄ）が植生植物Ｐの根元や若芽の状態の植生植物Ｐを食べたり、踏みつけたりすることを安定的に抑制することができる。そして、植生保護装置２００は、敷設シート２０３上で植生保護シート２０１を屈曲させることにより植生保護空間Ｒを形成するため、従来と比べても、非常に簡易であり、且つ、安価に製造可能である構造を有している。
【００６２】
さらに、本実施形態の植生保護装置２００では、長手状の敷設シート２０３に複数の植生保護シート２０１が一端で連結部２０４によって連結されている。これにより、敷設シート２０３を植生領域Ｇに敷設するだけで、複数の植生保護シート２０１を植生領域Ｇ上に並べて簡単に配置して、植生保護領域Ｒを連設することができる。また、屈曲させた植生保護シート２０１の自由端２０１ｃを固定する位置が、隣接する植生保護シート２０１の固定端２０１ｂの位置とほぼ一致するため、自由端２０１ｃの固定位置の位置決めを容易且つ正確に実施することができる。すなわち、各植生保護シート２０１の自由端２０１ｃの固定位置を正確に定めて、複数の植生保護シート２０１の植生保護空間Ｒの形状（高さ）を高い精度でほぼ一定に形成することができる。結果として、植生保護シート２０１の固定位置を定めるための位置出しの手間を省けるとともに、植生保護領域Ｒの形状が揃い、植生保護構造２０の全体的な美観の向上に貢献する。したがって、一実施形態の植生保護装置２００及び植生保護構造２０は、野生動物（鹿Ｄ）による食害から植生領域Ｇ上の植生植物Ｐをより確実に保護すると共に、より簡易な構造で植生植物Ｐの保護を簡単且つ迅速に実施することを可能とする。
【００６３】
上述のとおり、本発明の一実施形態の植生保護装置２００及び植生保護構造２０を説明した。しかしながら、本発明は上述の一実施形態に限定されることはない。以下に本発明の変形例を説明する。
【００６４】
（変形例１）
本発明の一実施形態の植生保護装置２００では、敷設シート２０３はネットシートであるが、本発明はこれに限定されない。例えば、図１５に示すとおり、敷設シート２０３Ａは、ネットシートの代わりに、種子や肥料を包含した植生袋を備えた植生シートであってもよい。この植生保護装置２００Ａでは、植生保護シート２０１Ａの一端側で固定端２０１ａＡが、連結部２０４Ａを介して、植生シートからなる敷設シート２０３Ａに連結されている。あるいは、図示しないが、敷設シートは、ネットシート及び植生シートが一枚に一体化されたものであってもよい。すなわち、本発明の敷設シートは、植生保護シートの一端が固定され、植生領域に敷設可能なものであれば、その材質及び形状を問わずに任意に選択可能である。
【００６５】
（変形例２）
一実施形態の植生保護構造２０では、植生保護装置２００の植生保護空間Ｒが法面の傾斜方向に直交する方向（等高線）に沿って連接するように配置されたが、本発明の植生保護構造はこの配置形態に限定されない。例えば、植生保護空間Ｒが傾斜方向に延びるように、長尺の植生保護装置２００を等高線に沿って並設してもよい。あるいは、傾斜方向及び等高線方向に対して斜めに傾いた状態で、複数の植生保護装置が配置されてもよく、さらに、各植生保護装置がランダムな方向を向いて配置されてもよい。
【００６６】
（変形例３）
一実施形態の植生保護装置２００の植生保護シート２０１は、亀甲形状の網目からなる網状体で構成されたが、本発明はこれに限定されない。すなわち、本発明の植生保護シートは、少なくとも可撓性、弾性及び通光性を有していればよく、その材質及び形状は任意に選択することができる。例えば、亀甲形状の網目に代えて、柵状や格子形状の網目模様を採用してもよい。または、植生保護シートとして、複数の大小の通光孔を穿設した合成樹脂製等の薄板を採用してもよい。あるいは、植生保護シートの材質として、合成樹脂の代わりに金属板又は金属線を採用してもよい。つまり、当業者であれば、植生保護シートの形状や材質を適宜、設計変更することが可能である。
【００６７】
なお、本発明は上述した複数の実施例に限定されるものではなく、本発明の技術的範囲に属する限りにおいて種々の態様で実施しうるものである。
【符号の説明】
【００６８】
１０      植生保護構造（基本形態）
１００    植生保護装置（基本形態）
２０      植生保護構造（実施形態）
２００    植生保護装置（実施形態）
１０１    植生保護シート
１０１ａ  網目
１０２    固定具
２０      植生保護構造（実施例１）
２００    植生保護装置（実施例１）
２００ａ  シート部
２００ｂ  ロール部
２０１    植生保護シート
２０１ａ  網目
２０１ｂ  固定端
２０１ｃ  自由端
２０３    敷設シート
２０４    連結部（Ｃリング）
２１０    植生シート
Ｐ        植生植物
Ｇ        植生領域
Ｒ        植生保護空間
ｈ        植生保護空間の高さ
Ｗ        植生保護空間の幅
ｄ        植生保護シートの固定端の間隔
【要約】
【課題】野生動物（代表的には鹿）からの食害から植生領域上の植物をより確実に保護すると共に、より簡易な構造で構築可能な植生保護装置を提供する。
【解決手段】本発明の植生保護装置は、植生領域Ｇ上に配置され、植生植物Ｐを保護するための植生保護装置２００であって、植生領域Ｇ上に敷設される長手状の敷設シート２０３と、所定の可撓性、弾性及び通光性を有し、敷設シート２０３に一端側の固定端２０１ｂで取り付けられた複数の植生保護シート２０１と、を備え、固定端２０１ｂを支点として植生保護シート２０１を屈曲変形させ、植生保護シート２０１の他端側の自由端２０１ｃを固定具２０２で植生領域Ｇに固定することにより、植生保護シート２０１がアーチ状に屈曲した状態で植生領域Ｇに固定されて、植生保護シート２０１と植生領域Ｇとの間に植生植物Ｐを保護するための植生保護空間Ｒが形成されることを特徴とする。
【選択図】図８【図１】
0005586775.tif 000002
【図２】
0005586775.tif 000003
【図３】
0005586775.tif 000004
【図４】
0005586775.tif 000005
【図５】
0005586775.tif 000006
【図６】
0005586775.tif 000007
【図９】
0005586775.tif 000008
【図１０】
0005586775.tif 000009
【図１１】
0005586775.tif 000010
【図１２】
0005586775.tif 000011
【図１３】
0005586775.tif 000012
【図１４】
0005586775.tif 000013
【図１５】
0005586775.tif 000014
【図７】
0005586775.tif 000015
【図８】
0005586775.tif 000016